(57)【要約】【課題】表示面に物体載置がなされている場合に、タッチ操作が可能な残りの領域において重要度の高い表示アイテムを操作しやすいように表示する表示装置を提供する。【解決手段】車両に搭載される表示装置であって、画像を表示する表示部と、表示部の表示面へのタッチ操作とタッチ操作以外の表示面上の物体載置とを区別して検出するセンサ部と、センサ部による検出結果から、物体載置がなされている表示面上の領域を認識する領域認識部と、表示部に操作対象となっている車載機器の操作画面ごとに用意された操作用の表示アイテムを表示させる制御部とを備え、制御部は、物体載置がなされている場合に、表示面上の物体載置がなされていない領域に定める残り領域の大きさが予め定めた閾値未満であれば、表示部に、残り領域に操作画面ごとに予め定めた優先順位に従って決定した表示アイテムを表示させる。【選択図】図１
2016224628.tif 000002
【特許請求の範囲】
【請求項１】
車両に搭載される表示装置であって、
画像を表示する表示部と、
前記表示部の表示面へのタッチ操作と前記タッチ操作以外の前記表示面上の物体載置とを区別して検出するセンサ部と、
前記センサ部による検出結果から、前記物体載置がなされている前記表示面上の領域を認識する領域認識部と、
前記表示部に操作対象となっている車載機器の操作画面ごとに用意された操作用の表示アイテムを表示させる制御部とを備え、
前記制御部は、前記物体載置がなされている場合に、前記表示面上の前記物体載置がなされていない領域に定める残り領域の大きさが予め定めた閾値未満であれば、前記表示部に、前記残り領域に前記操作画面ごとに予め定めた優先順位に従って決定した前記表示アイテムを表示させる、表示装置。
【発明の詳細な説明】
【技術分野】
【０００１】
本発明は、表示面への接触を検出する表示装置に関する。
【背景技術】
【０００２】
大型コンソールや後部座席用コントローラにタッチパネルを備えた車両が普及している。当該タッチパネルには、例えば車載機器の操作画面が表示される。ユーザが操作画面内のＧＵＩ（Graphical User Interface）部品である表示アイテムにタッチ操作を行うことにより、選択した表示アイテムに対応する車載機器の動作が制御される。
【０００３】
また、表示部の上に物体が置かれることにより表示が物体の下に隠れる不都合を解消しようとする表示装置が提案されている。特許文献１には、タッチパネル上に携帯端末が置かれたことを検出し、携帯端末が置かれていない画面部分（操作可能エリア）に操作情報を表示する表示装置が記載されている。当該表示装置は、操作可能エリアが小さい場合には、一部の情報のみを表示して他の情報の表示を制限する。特許文献２には、表示部にＲＦタグがかざされると、ＲＦタグにより覆われていない表示領域を検知して、当該表示領域に当該ＲＦタグの読み取り状況を表示する表示装置が記載されている。
【先行技術文献】
【特許文献】
【０００４】
【特許文献１】特開２００８−１２３４７６号公報
【特許文献２】特許第５３３８９４０号公報
【発明の概要】
【発明が解決しようとする課題】
【０００５】
しかしながら、タッチパネル上に物体が置かれた場合に、タッチ操作が可能な残りの領域に各表示アイテムが密集状態に表示されると、重要度の高い表示アイテムが他の表示アイテムと見分けにくくなって選択操作し辛い。また、重要度の高い表示アイテムは、車載機器ごとに異なるため、タッチ操作が可能な残りの領域に一律の表示制限条件を適用して表示対象を絞ると、重要度の高い表示アイテムが必ずしも表示されなくなる。
【０００６】
本発明は、上記課題に鑑み、表示面に接触がなされている場合に、タッチ操作が可能な残りの領域において重要度の高い表示アイテムを操作しやすいように表示する表示装置を提供するものである。
【課題を解決するための手段】
【０００７】
第１の発明は、車両に搭載される表示装置であって、画像を表示する表示部と、前記表示部の表示面へのタッチ操作と前記タッチ操作以外の前記表示面上の物体載置とを区別して検出するセンサ部と、前記センサ部による検出結果から、前記物体載置がなされている前記表示面上の領域を認識する領域認識部と、前記表示部に操作対象となっている車載機器の操作画面ごとに用意された操作用の表示アイテムを表示させる制御部とを備え、前記制御部は、前記物体載置がなされている場合に、前記表示面上の前記物体載置がなされていない領域に定める残り領域の大きさが予め定めた閾値未満であれば、前記表示部に、前記残り領域に前記操作画面ごとに予め定めた優先順位に従って決定した前記表示アイテムを表示させる。
【０００８】
第１の発明によれば、領域認識部は、センサ部による検出結果から、タッチ操作以外の物体載置がなされている表示面上の領域を認識する。制御部は、領域認識部が物体載置がなされている領域を認識すると、表示面上の当該領域外に定める残り領域の大きさが予め定めた閾値未満であれば、表示部に、残り領域に操作対象となっている車載機器の操作画面ごとに予め定めた優先順位に従って決定した表示アイテムを表示させる。
【０００９】
これにより、表示面上の残り領域には車載機器の操作画面ごとに優先順位の高い表示アイテムが表示される。したがって、重要度の高い表示アイテムがその他の表示アイテムから見分けにくくなったり、表示されなくなったりする不都合が生じない。ユーザは、表示面に接触がなされていることにより視認できる領域が狭められても、残された視認できる領域において、車載機器の操作画面ごとに重要な操作項目を容易に選択することができる。
【発明の効果】
【００１０】
本発明によれば、表示面上に物体載置がなされている場合に、タッチ操作が可能な残りの領域において重要度の高い表示アイテムを操作しやすいように表示する表示装置を提供することができる。
【図面の簡単な説明】
【００１１】
【図１】本発明の実施形態に係る表示装置の構成を示すブロック図
【図２】本発明の実施形態に係る表示装置の動作を説明する図であって、（ａ）は表示面上に物体載置がなされていない状態で表示される操作画面を説明する図、（ｂ）は表示面上に物体載置がなされている状態で表示される操作画面を説明する図
【図３】本発明の実施形態に係る表示装置の動作を説明するフローチャート
【発明を実施するための形態】
【００１２】
以下、図１〜図３を参照しながら、実施の形態について詳細に説明する。
[概要]
本実施形態に係る表示装置は、センサ部の検出結果から、表示面上にタッチ操作以外の物体載置がなされている領域を認識する。そして、表示面上の物体載置がなされていない残りの領域の大きさが予め定めた閾値未満であれば、当該残りの領域において、車載機器の操作画面ごとに予め定めた優先順位に従って選択した表示アイテムを表示する。ユーザは、残りの領域で、車載機器の操作画面ごとに重要な操作項目を選択することができる。
【００１３】
[表示装置の構成]
図１に、本実施形態に係る表示装置１の構成を示す。表示装置１は、車両に搭載され、表示部１ａ、タッチセンサ（センサ部）１ｂ、領域認識部１ｃ、制御部１ｄ、および、記憶部１ｅを備えている。タッチセンサ１ｂは表示部１ａに一体的に形成されており、表示部１ａとタッチセンサ１ｂとはタッチパネルＰを構成している。
【００１４】
（表示部）
表示部１ａは、例えば液晶表示装置あるいは有機ＥＬ表示装置からなり、画像を表示する。表示部１ａは、ユーザの指によるタッチ操作を受け付けるように例えばセンターコンソールや後部座席用のコントローラに配置される。タッチ操作はタッチペンによるものであってもよい。
【００１５】
例えば、図２（ａ）に示すように、表示部１ａは、表示面Ｈにユーザの操作対象となっている車載機器ごとに切替え可能な操作画面１０を表示する。図２（ａ）の操作画面１０には、操作用の表示アイテム（ＧＵＩ部品）として、メニューバーＡ１と車載機器の各種の操作ボタンＢ１とが表示されている（図示の便宜上、一部の操作ボタンのみに符号Ｂ１を付す）。このような表示アイテムは、車載機器の操作画面ごとに用意されている。
【００１６】
ユーザは、メニューバーＡ１に配置されたメニューボタンＡ１ｘにタッチ操作を行うことにより、画面をオーディオ、エアコン、シートといった車載機器ごとの操作画面１０に切り替えることができるようになっている。現在選択されているシートに関するメニューボタンＡ１ｘは例えばハイライト表示される。操作画面１０には、左右のシートに関する各種の操作ボタンＢ１が表示されている。ユーザが操作ボタンＢ１にタッチ操作を行うことにより、当該操作ボタンＢ１に割り当てられた機器動作が実行される。
【００１７】
（タッチセンサ）
タッチセンサ１ｂは、表示部１ａの表示面へのタッチ操作と、タッチ操作以外の表示面上の物体載置とを、区別して検出する（以下、タッチ操作以外の表示面上の物体載置を単に物体載置と称する）。タッチ操作および物体載置の検出方式は任意でよい。
【００１８】
タッチセンサ１ｂは、タッチ操作と物体載置との区別を、例えば、表示部１ａの表示面付近に形成される静電容量の変化を検出することで行う。当該物体として、接地されていない任意の物体が該当し得る。指またはタッチペンによる表示面への接触であるタッチ操作は、静電容量を減少させる方向に変化させる。接地されていない物体の表示面への接触は、静電容量を増加させる方向に変化させる。
【００１９】
表示装置１の電源オン状態において、当該タッチセンサ１ｂは表示面上の検出対象箇所からの検出信号を定期的に取得する。タッチセンサ１ｂは、各検出対象箇所から得られる検出信号を個別に処理し、検出信号が、タッチ操作がなされたことを示すか、物体載置がなされていることを示すか、タッチ操作も物体載置もなされていないことを示すかのいずれであるかの検出結果を得る。タッチセンサ１ｂは、物体載置の検出箇所を示す信号を、各サンプリングタイミングで領域認識部１ｃに入力する。タッチ操作の検出箇所を示す信号は、領域認識部１ｃに入力されるなどして画面制御に用いられてもよいが、タッチ操作による画面の切替え処理についての説明はここでは省略する。
【００２０】
なお、ここではセンサ部はタッチンセンサ１ｂからなるものとしているが、センサ部は、タッチ操作を検出するセンサとタッチ操作以外の表示面上の物体載置を検出する他のセンサとの組合せからなっていてもよい。
【００２１】
（領域認識部）
領域認識部１ｃは、タッチセンサ１ｂから入力される信号に基づき、表示部１ａの表示面上の、物体載置がなされている領域を認識する。
【００２２】
領域認識部１ｃは、タッチセンサ１ｂから物体載置の検出箇所を示す信号が第１の所定時間以上（すなわち第１の所定サンプリング回数以上）だけ継続して入力されると、表示面上で物体載置がなされた領域を認識する。そして、領域認識部１ｃは、物体載置がなされている領域の認識結果を示す信号を制御部１ｄへ入力する。
【００２３】
例えば、図２（ｂ）に示すように、指およびタッチペンと異なる接地されていない物体２が表示面Ｈ上に載置された場合に、タッチセンサ１ｂは、物体２が載置された表示面Ｈ上の太破線で囲む領域Ｆ内における１つ以上の検出対象箇所において、物体載置がなされていることを検出する。タッチセンサ１ｂから領域認識部１ｃには、領域Ｆ内において物体載置の検出箇所を示す信号が入力される。これにより、領域認識部１ｃは、領域Ｆを物体載置がなされた領域として認識する。領域認識部１ｃは、領域Ｆの範囲の情報を認識結果として制御部１ｄへ入力する。
【００２４】
また、領域認識部１ｃは、タッチセンサ１ｂから入力されていた物体載置の検出箇所を示す信号が停止して、第２の所定時間以上（すなわち第２の所定サンプリング回数以上）経過すると、物体載置がなくなったことを示す信号を制御部１ｄへ入力する。
【００２５】
（制御部）
制御部１ｄは、領域認識部１ｃから入力される信号の内容に応じて、表示部１ａに表示する操作画面に含める表示アイテムおよび当該操作画面のレイアウトを決定する。そして、制御部１ｄは、決定した表示アイテムを含む操作画面を、決定したレイアウトで表示部１ａに表示させる。
【００２６】
制御部１ｄは、領域認識部１ｃから物体載置がなされている領域の認識結果を示す信号が入力されると、直前まで表示していた操作画面の表示アイテムを、表示面上の物体載置がなされていない領域に表示可能かどうかの判定を行う。当該判定を行うために、制御部１ｄは、物体載置がなされていない領域内に設定する操作画面用の領域の大きさを、予め定めた閾値と比較する。
【００２７】
例えば図２（ｂ）に示すように、制御部１ｄは、領域認識部１ｃから領域Ｆの認識結果を示す信号が入力される場合に、表示面Ｈ上に一点鎖線で囲むように、領域Ｆを含む無効領域Ｍを決定する。無効領域Ｍは、タッチ操作の検出機能が無効とされる（例えば、指およびタッチペンによる静電的な入力が無効とされる）領域である。タッチ操作の検出機能を無効とするのに、例えばタッチセンサ１ｂの無効領域Ｍでの検出動作をオフとする。無効領域Ｍの大きさおよび形状は任意に設定されてよい。無効領域Ｍの決定ルールは記憶部１ｅに記憶されており、制御部１ｄは当該決定ルールを参照して無効領域Ｍを決定する。そして、制御部１ｄは、表示面Ｈ上の無効領域Ｍ外を、破線で囲むように、残り領域Ｎとして設定する。
【００２８】
制御部１ｄは、残り領域Ｎの大きさを、記憶部１ｅに予め記憶されている閾値と比較する。制御部１ｄは、残り領域Ｎの大きさが当該閾値以上であれば、残り領域Ｎに、図２（ａ）の操作画面１０に表示されていたのと同じだけの表示アイテムを表示する。一方、制御部１ｄは、残り領域Ｎの大きさが当該閾値未満であれば、残り領域Ｎに、図２（ｂ）に示すような簡易表示された操作画面２０を表示する。
【００２９】
操作画面２０は、残り領域Ｎの大きさが、操作画面１０に表示されていたのと同じだけの表示アイテムを表示するのに不十分であることから、左右のシートのそれぞれについて優先的に表示したい操作ボタンのみからなっている。制御部１ｄは、これらの優先的に表示したい操作ボタンを、車載機器ごとの操作画面における表示アイテムの表示の優先順位に従って決定する。当該優先順位は記憶部１ｅに予め記憶されている。
【００３０】
このような優先順位に従って表示アイテムを操作画面１０に配置した結果、例えばメニューバーＡ２および操作ボタンＢ２（図示の便宜上、一部の操作ボタンのみに符号Ｂ２を付す）が表示されている。メニューバーＡ２はメニューバーＡ１の大きさが縮小された構成を有し、操作ボタンＢ２は、操作ボタンＢ１から数字ボタンが消去されたボタン種で構成されている。メニューバーＡ２の表示領域と操作ボタンＢ２の表示領域との相対位置関係は、メニューバーＡ１の表示領域と操作ボタンＢ１の表示領域との相対位置関係と異なっていてよい。
【００３１】
（記憶部）
記憶部１ｅは、上述したように、画面に使用するデータ、無効領域Ｍの決定ルール、残り領域Ｎの大きさを判定するための閾値、および、表示アイテムの表示の優先順位の他、制御部１ｄが実行するプログラムを記憶している。当該プログラムは例えば表示アイテムのレイアウト手順を含む。
【００３２】
[表示装置の動作]
次に、上記構成の表示装置１の動作を説明する。図３に、制御部１ｄが行う処理のフローチャートを示す。当該フローは、表示装置１の電源投入により開始され、電源遮断により終了する。
【００３３】
ステップＳ１０１では、制御部１ｄは、領域認識部１ｃから入力される信号に基づいて、表示部１ａの表示面上に物体載置がなされているか否かを判定する。ステップＳ１０１において、物体載置がなされている場合はステップＳ１０２へ進み、物体載置がなされていない場合にはステップＳ１０７へ進む。
【００３４】
ステップＳ１０２では、制御部１ｄは、領域認識部１ｃから入力される物体載置がなされている領域の認識結果を示す信号に基づいて、図２（ｂ）に残り領域Ｎで示したように、表示面上の物体載置がなされていない領域に定めた残り領域の大きさが閾値以上であるか否かを判定する。ステップＳ１０２において、残り領域の大きさが閾値以上であればステップＳ１０３へ進み、残り領域の大きさが閾値未満であればステップＳ１０５へ進む。
【００３５】
ステップＳ１０３では、制御部１ｄは、表示部１ａに、残り領域において全表示アイテムを含む操作画面を表示させる。またこのときに、制御部１ｄは、表示面上に、図２（ｂ）に無効領域Ｍとして示したのと同様に、タッチ操作の検出が無効とされる領域を設定してもよい。制御部１ｄは、例えば、当該タッチ操作の検出が無効とされる領域を操作画面から区別できるように表示させる。ステップＳ１０３の次はステップＳ１０４へ進む。
【００３６】
ステップＳ１０２から進んだステップＳ１０５では、制御部１ｄは、図２（ｂ）の操作画面２０に示された表示アイテムのように、記憶部１ｅに記憶されている表示アイテムの表示の優先順位に従って、残り領域に表示する表示アイテムを決定する。続くステップＳ１０６では、制御部１ｄは、決定した表示アイテムの残り領域へのレイアウトを行って表示部１ａに表示アイテムを表示させる。またこのときに、制御部１ｄは、表示面上に、図２（ｂ）に無効領域Ｍとして示したタッチ操作の検出が無効とされる領域を設定してもよい。制御部１ｄは、例えば、当該タッチ操作の検出が無効とされる領域を操作画面から区別できるように表示させる。ステップＳ１０６の次はステップＳ１０４へ進む。
【００３７】
ステップＳ１０１から進んだステップＳ１０７では、制御部１ｄは、図２（ａ）に示した操作画面１０のように、操作画面を全表示アイテムを含むデフォルトのレイアウトで表示部１ａに表示させる。ステップＳ１０７の次はステップＳ１０４へ進む。
【００３８】
ステップＳ１０４では、制御部１ｄは、ユーザによる電源オフ操作など、表示装置１を電源オフ状態へ移行させるイベントが発生したか否かを判定する。ステップＳ１０４において、電源オフ状態へ移行させるイベントが発生したと判定されるとフローを終了し、電源オフ状態へ移行させるイベントが発生しないと判定されるとステップＳ１０１へ戻る。
【００３９】
［実施の形態の効果等］
以上のように、本実施形態の表示装置１は以下の作用効果を奏する。領域認識部１ｃは、センサ部１ｂによる検出結果から、タッチ操作以外の物体載置がなされている表示面Ｈ上の領域Ｆを認識する。制御部１ｄは、領域認識部１ｃが領域Ｆを認識すると、表示面Ｈ上の領域Ｆ外に定める残り領域Ｎの大きさが予め定めた閾値未満であれば、表示部１ａに、残り領域Ｎに操作対象となっている車載機器の操作画面ごとに予め定めた優先順位に従って決定した表示アイテムを表示させる。
【００４０】
これにより、表示面Ｈ上の残り領域Ｎには車載機器の操作画面ごとに優先順位の高い表示アイテムが表示される。したがって、重要度の高い表示アイテムがその他の表示アイテムから見分けにくくなったり、表示されなくなったりする不都合が生じない。ユーザは、表示面Ｈに接触がなされていることにより視認できる領域が狭められても、視認できる残り領域Ｎにおいて、車載機器の操作画面ごとに重要な操作項目を容易に選択することができる。
【００４１】
以上のように、表示装置１は、表示面Ｈ上に物体載置がなされている場合に、タッチ操作が可能な残り領域Ｎにおいて重要度の高い表示アイテムを操作しやすいように表示することができる。
【産業上の利用可能性】
【００４２】
本発明は、車両に搭載されるコンソール機器や車載機器のコントローラなどに適用可能である。
【符号の説明】
【００４３】
１          表示装置
１ａ        表示部
１ｂ        タッチセンサ
１ｃ        領域認識部
１ｄ        制御部
１ｅ        記憶部
２          物体
１０、２０        操作画面
Ａ１、Ａ２        メニューバー
Ａ１ｘ、Ａ２ｘ    メニューボタン
Ｂ１、Ｂ２        操作ボタン
Ｆ          領域
Ｈ          表示面
Ｍ          無効領域
Ｎ          残り領域
Ｐ          タッチパネル
【図１】
2016224628.tif 000003
【図２】
2016224628.tif 000004
【図３】
2016224628.tif 000005